(57)【要約】【課題】  従来型巻上機を昇降路頂部に配置することで機械室に空きスペースを形成し、この空きスペースを有効利用できるようにしたエレベータの改修方法を得る。【解決手段】  昇降路７上部の既設機械室１に巻上機が配置されているエレベータを撤去新設する改修工事において、既設機械室１の既設巻上機を撤去し、既設機械室１の既設機械台２を流用し、この既設機械台２により防振ゴム９を介して巻上機台３を吊り下げ、巻上機台３上に新規巻上機４を載置することにより、この新規巻上機４を昇降路７頂部に配置する。【選択図】    図１
2005231770.tif 000002
【特許請求の範囲】
【請求項１】
昇降路上部の既設機械室に巻上機が配置されているエレベータを撤去新設する改修工事において、
前記既設機械室の既設巻上機を撤去し、
前記既設機械室の既設機械台を流用し、この既設機械台により防振ゴムを介して巻上機台を吊り下げ、
前記巻上機台上に新規巻上機を載置することにより、新規巻上機を昇降路頂部に配置することを特徴とするエレベータの改修方法。
【請求項２】
新規巻上機は、ギアレス、ウォームギヤ、ヘリカルギヤ、薄型等の従来型の巻上機であることを特徴とする請求項１記載のエレベータの改修方法。
【請求項３】
新規巻上機を昇降路頂部に配置することにより、既設機械室の一部を他の用途に利用できる機械室有効利用スペースとしたことを特徴とする請求項１又は請求項２記載のエレベータの改修方法。
【請求項４】
昇降路上部の既設機械室に巻上機が配置されているエレベータを撤去新設する改修工事において、
前記既設機械室の既設巻上機を撤去し、
前記昇降路の上部側壁に受台を固定し、
前記受台上に新規機械台を固定し、この新規機械台により防振ゴムを介して巻上機台を吊り下げ、
前記巻上機台上に新規巻上機を載置することにより、新規巻上機を昇降路頂部に配置することを特徴とするエレベータの改修方法。
【請求項５】
新規巻上機は、ギアレス、ウォームギヤ、ヘリカルギヤ、薄型等の従来型の巻上機であることを特徴とする請求項４記載のエレベータの改修方法。
【請求項６】
新規巻上機を昇降路頂部に配置することにより、既設機械室の全てを他の用途に利用できる機械室有効利用スペースとしたことを特徴とする請求項４又は請求項５記載のエレベータの改修方法。
【発明の詳細な説明】
【技術分野】
【０００１】
この発明は、エレベータの改修方法、さらに詳しくは、エレベータ改修工事における巻上機の固定方法に関するものである。
【背景技術】
【０００２】
従来のエレベータの改修工事では、既設機械室に巻上機が配置されている場合、改修後も機械室に巻上機を配置するケースが一般的であった。また、近年では、既設機械室に巻上機が配置されている場合でも、改修工事で既設品を撤去し機械室レスエレベータを納入する場合もある。
エレベータの改修工事において、既設機械室空間を有効利用する従来技術がある（例えば、特許文献１参照）。また、巻上機を上部に配置する場合のうち、昇降路頂部の梁に巻上機を固定する従来技術がある（例えば、特許文献２参照）。
【０００３】
【特許文献１】特開２００２−３７５６４号公報（図１）
【特許文献２】特許第２８８９１２５号公報（図１）
【発明の開示】
【発明が解決しようとする課題】
【０００４】
従来のエレベータの改修工事の場合では、昇降路の頂部隙間に余裕がある場合でも機械室に巻上機を配置するため、無駄なスペースが大きく残ることになる。また、特許文献１記載の場合では、巻上機を昇降路下部（ピット）に配置してあり、巻上機が冠水の恐れがあるほか、図５に示すように、ローピングの際に下部の巻上機４から一度上部の返し車１３を介しての、かご吊りとなるため、主ロープ１０が昇降行程の２倍分長くなり、ロープ伸びも大きくなる。ロープ伸びが大きいと、その伸びを見越して釣合いおもり６と緩衝器の隙間（ランバイ）を大きくするか、または頻繁にロープの切り詰め（長さ調整）をする手間がかかる。また、図６に示すように、巻上機４を上部に配置する場合のうち、その荷重（巻上機重量＋吊り荷重）をガイドレールで受ける構造の場合は、殆どの場合既設ガイドレールがその荷重に耐えられず、流用できないため全て取り替えとなっていた。また、巻上機を上部に配置する場合のうち、昇降路頂部の梁に巻上機を固定する特許文献２記載の場合では、本体上部を直接又は防振ゴムを介して取付梁に取り付ける構造であり、本体の下部にて荷重を受ける従来型の巻上機を取り付けることができないという問題があった。
【０００５】
この発明は、上述のような課題を解決するためになされたもので、その目的は、既設機械室に巻上機が配置されているエレベータを撤去新設する改修工事において、従来型巻上機を昇降路頂部に配置することで機械室に空きスペースを形成し、この空きスペースを有効利用できるようにしたエレベータの改修方法を提供するものである。
【課題を解決するための手段】
【０００６】
この発明に係るエレベータの改修方法は、昇降路上部の既設機械室に巻上機が配置されているエレベータを撤去新設する改修工事において、既設機械室の既設巻上機を撤去し、既設機械室の既設機械台を流用し、この既設機械台により防振ゴムを介して巻上機台を吊り下げ、巻上機台上に新規巻上機を載置することにより、新規巻上機を昇降路頂部に配置するものである。
【０００７】
また、新規巻上機は、ギアレス、ウォームギヤ、ヘリカルギヤ、薄型等の従来型の巻上機である。
【０００８】
また、新規巻上機を昇降路頂部に配置することにより、既設機械室の一部を他の用途に利用できる機械室有効利用スペースとしたものである。
【０００９】
また、昇降路上部の既設機械室に巻上機が配置されているエレベータを撤去新設する改修工事において、既設機械室の既設巻上機を撤去し、昇降路の上部側壁に受台を固定し、受台上に新規機械台を固定し、この新規機械台により防振ゴムを介して巻上機台を吊り下げ、巻上機台上に新規巻上機を載置することにより、新規巻上機を昇降路頂部に配置するものである。
【００１０】
また、新規巻上機を昇降路頂部に配置することにより、既設機械室の全てを他の用途に利用できる機械室有効利用スペースとしたものである。
【発明の効果】
【００１１】
この発明によれば、改修工事後、既設機械室に設置する機器が少なくなり、空きスペースを得ることができる。また、従来型の巻上機を利用できるため、吊下げタイプの巻上機を新規に開発する必要もない。もちろん、巻上機上置きであるため、冠水の恐れもなく、ロープ長さが短く、ガイドレールもそのまま流用できる効果がある。また、既設機械室に機器を設置しなければ、床を仕上げることにより全てのスペースを他の用途に利用できる機械室有効利用スペースとすることができる。
【発明を実施するための最良の形態】
【００１２】
実施の形態１．
図１はこの発明の実施の形態１におけるエレベータの改修方法を示す昇降路の縦断面図、図２はこの発明の実施の形態１におけるエレベータの改修方法を示す機械室の平面図、図３はこの発明の実施の形態１におけるエレベータの改修方法を示す巻上機取付部分の拡大図である。
【００１３】
図において、１は昇降路上部に設けられた既設機械室、１ａは既設機械室１を仕切って形成した機械室有効利用スペース、２は既設機械室１の底部に設けられた既設機械台、３は既設機械台２により吊り下げられた巻上機台、４は巻上機台３の下部水平部に載置固定された新規巻上機、５はエレベータかご、５ａはかご５上部に設けられたかご吊車、６は釣合いおもり、６ａは釣合いおもり６の上部に設けられた釣合いおもり吊車、７は昇降路、８は既設機械室１を二部屋に仕切る機械室仕切り、８ａは機械室仕切り８に設けられた機械室仕切り扉、９は既設機械台２の上面と巻上機台３の上部水平部の下面との間に設けられた防振ゴム、１０は主ロープ、１２は主ロープ１０の両端部を固定する綱止め部である。
この発明の実施の形態１におけるエレベータの改修方法について説明する。
エレベータを撤去新設する改修工事において、既設機械室１に配置されていた既設巻上機（図示せず）を撤去し、既設機械台２を利用して新規巻上機４を昇降路７頂部に配置する。既設機械室１は、設置機器の管理に必要なスペースを確保した上で、機械室仕切り８を取り付けて二分することにより、他の用途に利用できる機械室有効利用スペース１ａを得ることができる。
図３により、新規巻上機４の設置方法の一例を説明する。既設機械台２より、防振ゴム９を介して巻上機台３を吊り下げ、巻上機台３の下部水平部上に新規巻上機４を載置することにより、新規巻上機４を昇降路頂部に配置することができる。この構造によれば、従来型の本体下部にて荷重を受ける巻上機（ギアレス、ウォームギヤ、ヘリカルギヤ、薄型）を昇降路頂部に固定できるため、新規に専用の巻上機を開発する必要がない。
【００１４】
したがって、改修工事後、既設機械室１に設置する機器が少なくなり、空きスペースを得ることができる。また、従来型の巻上機を利用できるため、吊下げタイプの巻上機を新規に開発する必要もない。もちろん、巻上機上置きであるため、冠水の恐れもなく、ロープ長さが短く、ガイドレールもそのまま流用できる効果がある。
【００１５】
実施の形態２．
図４はこの発明の実施の形態１におけるエレベータの改修方法を示す昇降路の縦断面図である。
図４において、１ａは昇降路上部に設けられた既設機械室であって、なおかつ機械室有効利用スペースである。２ａは昇降路頂部の隙間が大きい場合、昇降路７の上部側壁に固定されたアンカーボルト等からなる受台１１上に載置固定された新規機械台である。３は新規機械台２ａにより吊り下げられた巻上機台、４は巻上機台３の下部水平部に載置固定された新規巻上機、５はエレベータかご、５ａはかご５上部に設けられたかご吊車、６は釣合いおもり、６ａは釣合いおもり６の上部に設けられた釣合いおもり吊車、７は昇降路、９は新規機械台２ａの上面と巻上機台３の上部水平部の下面との間に設けられた防振ゴム、１０は主ロープ、１２は主ロープ１０の両端部を固定する綱止め部である。
この発明の実施の形態２におけるエレベータの改修方法について説明する。
エレベータを撤去新設する改修工事において、昇降路頂部の隙間が大きい場合は、既設機械室１ａに配置されていた既設巻上機（図示せず）を撤去し、既設機械室１ａ全体を機械室有効利用スペースとする。次に、昇降路７の上部側壁にアンカーボルト等の受台１１を固定し、この受台１１上に新規機械台２ａを固定し、この新規機械台２ａにより防振ゴム９を介して巻上機台３を吊り下げ、巻上機台３の下部水平部上に新規巻上機４を載置することにより、新規巻上機４を昇降路頂部に配置することができる。
【００１６】
したがって、この実施の形態２によれば、既設機械室１ａには、機器を設置しないため、床を仕上げることにより全てのスペースを他の用途に利用できる機械室有効利用スペースとすることができる。また、従来型の本体下部にて荷重を受ける巻上機（ギアレス、ウォームギア、ヘリカルギア、薄型）を昇降路上部に固定できるため、新規に専用の巻上機を開発する必要がない。
【図面の簡単な説明】
【００１７】
【図１】この発明の実施の形態１におけるエレベータの改修方法を示す昇降路の縦断面図である。
【図２】この発明の実施の形態１におけるエレベータの改修方法を示す機械室の平面図である。
【図３】この発明の実施の形態１におけるエレベータの改修方法を示す巻上機取付部分の拡大図である。
【図４】この発明の実施の形態２におけるエレベータの改修方法を示す昇降路の縦断面図である。
【図５】従来のエレベータの巻上機の配置によるロープ長さの比較例を示す概念図平面図である。
【図６】従来エレベータの巻上機及び吊荷重をガイドレールで支持する例を昇降路の一部を破断して示す斜視図である。
【符号の説明】
【００１８】
１  機械室
１ａ  機械室有効利用スペース
２  既設機械台
２ａ  新規機械台
３  巻上機台
４  新規巻上機
５  エレベータかご
５ａ  かご吊車  
６  釣合いおもり  
６ａ  釣合いおもり吊車  
７  昇降路
８  機械室仕切り
８ａ  機械室仕切り扉  
９  防振ゴム  
１０  主ロープ
１１  アンカーボルト等の受台  
１２  綱止め部  
１３  返し車
【図１】
2005231770.tif 000003
【図２】
2005231770.tif 000004
【図３】
2005231770.tif 000005
【図４】
2005231770.tif 000006
【図５】
2005231770.tif 000007
【図６】
2005231770.tif 000008